(57)【要約】【課題】居住する地域内での住民間の連携を図ることができるシステムを提供すること。【解決手段】本発明の情報処理システムは、建物に設置されたインターホン装置と、当該インターホン装置に接続され、建物の状況を検出する検出装置と、インターホン装置及び検出装置にネットワークを介して接続された管理サーバと、を備える。そして、管理サーバは、検出装置にて検出された建物の状況を収集する収集部と、当該収集した建物の状況を他の建物に設置されたインターホン装置から出力するよう通知する通知部と、を備える。【選択図】図１
2017158110.tif 000002
【特許請求の範囲】
【請求項１】
建物に設置されたインターホン装置と、
当該インターホン装置に接続され、建物の状況を検出する検出装置と、
前記インターホン装置及び前記検出装置に、ネットワークを介して接続された管理サーバと、
を備えた情報処理システムであって、
前記管理サーバは、前記検出装置にて検出された建物の状況を収集する収集部と、当該収集した建物の状況を他の建物に設置された前記インターホン装置から出力するよう通知する通知部と、を備えた、
情報処理システム。
【請求項２】
請求項１に記載の情報処理システムであって、
前記管理サーバは、複数の建物を関連付けて記憶する記憶部を備えると共に、
前記管理サーバの前記通知部は、収集した建物の状況を、当該建物に関連付けられた他の建物に設置された前記インターホン装置から出力するよう通知する、
情報処理システム。
【請求項３】
請求項２に記載の情報処理システムであって、
前記管理サーバの前記記憶部は、建物の状況に応じて区別して、特定の建物に対して他の建物を関連付けて記憶し、
前記管理サーバの前記通知部は、前記特定の建物から収集した建物の状況を、当該建物の状況に対応して当該特定の建物に関連付けられた前記他の建物に設置された前記インターホン装置から出力するよう通知する、
情報処理システム。
【請求項４】
請求項２又は３に記載の情報処理システムであって、
前記管理サーバの前記記憶部は、予め設定された地域内の複数の建物を関連付けて記憶し、
前記管理サーバの前記通知部は、収集した建物の状況を、当該建物に関連付けられた前記他の建物に設置された前記インターホン装置から出力するよう通知する、
情報処理システム。
【請求項５】
請求項１乃至４のいずれかに記載の情報処理システムであって、
前記管理サーバの前記通知部は、特定の前記建物の状況を収集したときに、当該特定の建物の状況を、当該建物に関連付けられた前記他の建物に設置された前記インターホン装置から出力するよう通知する、
情報処理システム。
【請求項６】
請求項５に記載の情報処理システムであって、
前記検出装置は、建物の状況として、建物に設定されたセキュリティモードと、建物の施錠状況と、を検出し、
前記管理サーバの前記通知部は、収集した建物の状況が、特定のセキュリティモードにおいて特定の施錠状況となった場合に、当該建物の状況を、当該建物に関連付けられた前記他の建物に設置された前記インターホン装置から出力するよう通知する、
情報処理システム。
【請求項７】
請求項６に記載の情報処理システムであって、
前記管理サーバの前記通知部は、収集した建物の状況が、特定のセキュリティモードにおいて建物が施錠されている状況から内部から開錠された状況となった場合に、当該建物の状況を、当該建物に関連付けられた前記他の建物に設置された前記インターホン装置から出力するよう通知する、
情報処理システム。
【発明の詳細な説明】
【技術分野】
【０００１】
本発明は、情報処理システムにかかり、特に、インターホン機能を有する情報処理システムに関する。
【背景技術】
【０００２】
建物に設置されるインターホンは、例えば、玄関と室内とで通話可能とするシステムであり、特に、玄関にカメラ、室内にモニタを設置することで、玄関の映像を室内で閲覧することを可能としている。このようなインターホンは、さらに、特許文献１に示すように、玄関の電子錠や、インターネット、ＨＥＭＳ（Home Energy Management System）に接続され、室内に設置された操作モニタにて操作したり情報を閲覧することが可能となっている。かかる構成の特許文献１では、インターネットを介して、電子錠の状態を、登録された建物の住民の携帯端末に通知することを可能としている。
【先行技術文献】
【特許文献】
【０００３】
【特許文献１】特開２０１５−２１９８９４号公報
【発明の概要】
【発明が解決しようとする課題】
【０００４】
ここで、上述した特許文献１の技術では、インターホンが設置された建物の電子錠の状況を、当該建物の住民のみに通知するものである。このため、建物の状況は、他の住民が知ることができず、居住する地域内での住民間の連携を図ることができない。
【０００５】
このため、本発明の目的は、居住する地域内での住民間の連携を図ることができる情報処理システムを提供することにある。
【課題を解決するための手段】
【０００６】
本発明の一形態である情報処理システムは、
建物に設置されたインターホン装置と、
当該インターホン装置に接続され、建物の状況を検出する検出装置と、
前記インターホン装置及び前記検出装置に、ネットワークを介して接続された管理サーバと、
を備えた情報処理システムであって、
前記管理サーバは、前記検出装置にて検出された建物の状況を収集する収集部と、当該収集した建物の状況を他の建物に設置された前記インターホン装置から出力するよう通知する通知部と、を備えた、
という構成をとる。
【０００７】
そして、上記情報処理システムでは、
前記管理サーバは、複数の建物を関連付けて記憶する記憶部を備えると共に、
前記管理サーバの前記通知部は、収集した建物の状況を、当該建物に関連付けられた他の建物に設置された前記インターホン装置から出力するよう通知する、
という構成をとる。
【０００８】
また、上記情報処理システムでは、
前記管理サーバの前記記憶部は、建物の状況に応じて区別して、特定の建物に対して他の建物を関連付けて記憶し、
前記管理サーバの前記通知部は、前記特定の建物から収集した建物の状況を、当該建物の状況に対応して当該特定の建物に関連付けられた前記他の建物に設置された前記インターホン装置から出力するよう通知する、
という構成をとる。
【０００９】
また、上記情報処理システムでは、
前記管理サーバの前記記憶部は、予め設定された地域内の複数の建物を関連付けて記憶し、
前記管理サーバの前記通知部は、収集した建物の状況を、当該建物に関連付けられた前記他の建物に設置された前記インターホン装置から出力するよう通知する、
という構成をとる。
【００１０】
また、上記情報処理システムでは、
前記管理サーバの前記通知部は、特定の前記建物の状況を収集したときに、当該特定の建物の状況を、当該建物に関連付けられた前記他の建物に設置された前記インターホン装置から出力するよう通知する、
という構成をとる。
【００１１】
また、上記情報処理システムでは、
前記検出装置は、建物の状況として、建物に設定されたセキュリティモードと、建物の施錠状況と、を検出し、
前記管理サーバの前記通知部は、収集した建物の状況が、特定のセキュリティモードにおいて特定の施錠状況となった場合に、当該建物の状況を、当該建物に関連付けられた前記他の建物に設置された前記インターホン装置から出力するよう通知する、
という構成をとる。
【００１２】
また、上記情報処理システムでは、
前記管理サーバの前記通知部は、収集した建物の状況が、特定のセキュリティモードにおいて建物が施錠されている状況から内部から開錠された状況となった場合に、当該建物の状況を、当該建物に関連付けられた前記他の建物に設置された前記インターホン装置から出力するよう通知する、
という構成をとる。
【発明の効果】
【００１３】
本発明は、以上のように構成されることにより、居住する地域内での住民間の連携を図ることができる。
【図面の簡単な説明】
【００１４】
【図１】本発明の第１の実施形態における情報処理システムの構成を示すブロック図である。
【図２】図１に開示した情報処理システムが設置される住宅の状況を示す図である。
【図３】図１に開示したタブレットの構成を示すブロック図である。
【図４】図１に開示したセキュリティシステムの構成を示すブロック図である。
【図５】図１に開示した管理サーバの構成を示すブロック図である。
【図６】図１に開示した情報処理システムにおける情報の流れを示す図である。
【図７】図１に開示した情報処理システムの動作を示すフローチャートである。
【発明を実施するための形態】
【００１５】
＜実施形態１＞
本発明の第１の実施形態を、図１乃至図７を参照して説明する。図１乃至図５は、実施形態１における情報処理システムの構成を説明するための図であり、図６乃至図７は、その動作を説明するための図である。
【００１６】
［構成］
本実施形態における情報処理システムは、まず、住宅１００（建物）に設置された、インターホン装置を備えている。インターホン装置は、例えば、玄関に設置され、カメラやマイクを有するインターホン子機（３０，４０）と、このインターホン子機（３０，４０）と接続されて通信可能であるインターホン親機（１０）と、を備えている。なお、インターホン子機（３０，４０）は、例えば、図１に示すように、後述するセキュリティシステム３０や防犯カメラ４０の１つとして備えられているものである。また、インターホン親機（１０）は、図１に示すように、携帯型情報処理端末であるタブレット１０で構成されている。
【００１７】
ここで、上記インターホン装置を備える住宅１００は、その位置や距離などの関係から、グループ分けされている。例えば、図２に示すように、住宅Ａ１〜Ａ４が近隣グループＧＡを形成しており、これら住宅Ａ１〜Ａ４の識別情報が近隣グループＧＡとして関連付けられて、管理サーバ２に記憶されている。同様に、住宅Ｂ１〜Ｂ４が近隣グループＧＢを形成し、また、住宅Ｃ１〜Ｃ４が近隣グループＧＣを形成しており、これらが各近隣グループとして関連付けられて記憶されている。これに加え、図２に示す全ての住宅１００は、上記近隣グループよりも広範囲に位置する住宅からなる広範囲グループＧも形成しており、かかる広範囲グループＧに属するとして関連付けられている。
【００１８】
また、情報処理システムは、図１に示すように、ドアの施錠機構や、ドアの開閉検知センサなどを備えたセキュリティシステム３０と、防犯カメラなどのカメラ４０と、を備えている。また、情報処理システムは、図１に示すように、通信により遠隔制御可能な家電５０と、住宅内のエネルギーを管理するＨＥＭＳ（Home Energy Management System）６０と、を備えている。さらに、情報処理システムは、住宅１００のユーザが装着するウェアラブル端末７０を備えている。
【００１９】
また、情報処理システムは、図１に示すように、住宅１００内に設置され、上記タブレット１０と無線通信可能な通信装置２０を備えている。この通信装置２０は、さらに外部のネットワークＮ（例えば、インターネット網）に接続されており、管理サーバ２００と接続可能である。これにより、住宅１０内のタブレット１０やセキュリティシステム３０、カメラ３０、家電５０、ＨＥＭＳ６０、ウェアラブル端末７０は、通信装置２０を介して、管理サーバ２００と接続可能である。
【００２０】
上記管理サーバ２００は、外部のネットワークＮに接続された情報処理装置である。管理サーバ２００は、後述するように、住宅１００から様々な情報を収集したり、家電５０などの器具に対する操作指令を送信したり、タブレット１０に表示する情報を送信する機能を有する。以下、各構成とその動作について詳しく説明する。
【００２１】
上記タブレット１０は、上述したようにインターホン親機として機能する携帯型情報処理端末である。タブレット１０は、図３に示すように、タッチパネル１１と、通信部１３と、記憶部１５と、を備えている。また、タブレット１０は、装備された演算装置がプログラムを実行することで構築された、表示制御部１２と、操作制御部１４と、を備えている。なお、本実施形態においては、インターホン親機はタブレットであることに限定されない。例えば、壁面設置型の装置であってもよい。
【００２２】
タブレット１０の通信部１３は、無線通信装置であり、主に、住宅１００内に設置された通信装置２０を介して、外部のネットワークＮ上の管理サーバ２００や、住宅１００内のセキュリティシステム３０等と通信を行う。但し、住宅１００内のセキュリティシステム３０等が無線通信装置を備えている場合には、タブレット１０は、直接セキュリティシステム３０等と通信を行ってもよい。
【００２３】
そして、タブレット１０の表示制御部１２は、セキュリティシステム３０やカメラ４０、管理サーバ２００から送信された情報を、タッチパネル１１に表示するよう制御する。例えば、セキュリティシステム３０やカメラ４０として玄関に装備されたインターホン子機にて撮影された玄関の映像を表示したり、ＨＥＭＳ６０にて管理されている電力の使用状況などのエネルギー情報を表示する。さらに、管理サーバ２００から送信された情報も表示する。
【００２４】
また、タブレット１０の表示制御部１２は、記憶部１５に記憶されたプログラムに従って、タッチパネル１１に操作画面を表示するよう制御する。そして、タブレット１０の操作制御部１４は、操作画面に対してユーザの指などによる接触操作が行われると、かかる操作入力を受け付けて、新たな操作画面を表示したり、操作入力に応じた操作指令を、セキュリティシステム３０やカメラ４０、管理サーバ２００などに送信する。
【００２５】
なお、図示していないが、タブレット１０は、マイクとスピーカも備えている。これにより、タブレット１０は、インターホン子機との通話を可能としたり、管理サーバ２００やカメラ４０などから送信された音を出力することも可能である。さらには、タブレット１０は、他の住宅１００のタブレット１０とも接続して、通話などの通信を行うこともできる。
【００２６】
上記セキュリティシステム３０（検出装置）は、図４に示すように、ドアの施錠機構や施錠開錠センサ、侵入センサ、火災報知機、ガス検知器などの各種センサ３１を備えており、住宅の状況を検出する。そして、セキュリティシステム３０は、制御部３２と通知部３３を備えており、各種センサ３１にて検出した情報を、タブレット１０に通知して表示したり、管理サーバ２００に通知する。このとき、通知部３３は、住宅１００を識別する識別情報と、センサ３１を識別する識別情報と共に、検出した住宅の状況を表す情報を管理サーバ２００に通知する。
【００２７】
また、セキュリティシステム３０は、ユーザからタブレット１０に入力されたセキュリティモードの設定操作を受け付けて、入力されたセキュリティモードで作動するよう各種センサ等を制御する。例えば、「外出モード」では、施錠開錠センサや侵入センサを作動させ、「徘徊防止モード」では、施錠開錠センサを作動させる。そして、セキュリティシステム３０は、設定したセキュリティモードと、センサによる検出結果である住宅の状況を表す情報を、住宅１００の識別情報と共に、管理サーバ２００に送信する。
【００２８】
上記カメラ４０や家電５０、ＨＥＭＳ６０も、上記セキュリティシステム３０と同様に、住宅内や住宅周囲の映像や家電の状況、エネルギー状況といった住宅内の状況を、タブレット１０に通知して表示したり、管理サーバ２００に通知する。
【００２９】
また、家電５０（電気器具）は、例えば、照明やエアコン、テレビなどであり、タブレット１０や管理サーバ２００からの操作指令に応じて、動作を制御されるよう構成されている。例えば、タブレット１０から家電５０と操作内容を指定された操作指令が入力されたり、管理サーバ２００からタイマに設定された時刻に家電５０と操作内容を指定された操作指令が入力されると、かかる操作指令を受け付けて、自己である家電５０の動作を制御する。
【００３０】
上記ウェアラブル端末７０は、ユーザが装着可能な、例えば、リストバンド型や指先装着型の携帯端末である。そして、ウェアラブル端末７０はセンサを備えており、例えば、ユーザの血圧、脈拍、血中酸素濃度、血糖値といった身体情報を検出する。そして、ウェアラブル端末７０は、検出した身体情報を、無線通信で接続された通信装置２０を介して、管理サーバ２００に送信する。
【００３１】
次に、管理サーバ２００の構成について、図５を参照して説明する。管理サーバ２００は、演算装置と記憶装置とを備えた情報処理装置である。そして、管理サーバ２００は、演算装置がプログラムを実行することで構築された、収集部２０１と送信部２０２とを備えている。また、管理サーバ２００は、装備された記憶装置に形成された記憶部２０３を備えている。
【００３２】
管理サーバ２００の収集部２０１は、住宅１００のセキュリティシステム３０やカメラ４０等から送信された情報を収集して、記憶部２０３に記憶する。特に、収集部２０１は、セキュリティシステム３０に設定されたセキュリティモードや、当該セキュリティモードで作動しているセンサによる検出結果である住宅の状況（建物の状況）を、住宅１００の識別情報と共に収集して記憶する。
【００３３】
そして、管理サーバ２００の送信部２０２は、記憶部２０３に記憶されている情報を、タブレット１００からの要求に応じて当該タブレット１００に送信する機能を有する。また、送信部２０２（通知部）は、収集した情報に基づいて、住宅１００のタブレット１０に通知を行う機能も有する。例えば、送信部２０２は、住宅１００に設定されたセキュリティモードに対して、センサによる検出結果である住宅の状況が通知対象となる状況であるときに、かかる状況を住宅１００に通知する。このとき、住宅の状況を検出している住宅１００とは異なる他の住宅１００、例えば、検出した住宅の状況に応じて関連付けて記憶されている同じグループに属する他の住宅のタブレット１０に通知する。
【００３４】
なお、管理サーバ２００の記憶部２０３には、セキュリティモード毎に、通知対象となる住宅の状況と、通知するグループの範囲と、が対応付けられて記憶されている。例えば、後述するように、「外出モード」にて侵入センサが検出されたという住宅の状況には、「広範囲グループ」が対応付けられている。
【００３５】
また、管理サーバ２００の送信部２０２は、記憶部２０３に記憶された住宅１００毎やユーザ毎の設定に基づいて、住宅１００の家電５０やカメラ４０、セキュリティシステム３０に対して、操作指令を送信する機能を有する。また、ネットワークＮを介して接続された外部の携帯端末３００からの操作指令に応じて、住宅１００の家電５０等に対して操作指令を送信する機能を有する。
【００３６】
［動作］
次に、上述した構成の情報処理システムの動作の一例を、図６乃至図７を参照して説明する。ここでは、図６に示す住宅Ａ１についての動作を中心に説明する。
【００３７】
まず、住宅Ａ１のユーザは、お年寄りを家に残して外出する際に、タブレット１０を操作して、セキュリティモードを「徘徊防止モード」に設定する。すると、セキュリティシステム３０は、住宅Ａ１の識別情報と共に、住宅Ａ１が「徘徊防止モード」に設定されたことを、管理サーバ２００に通知する（図６の矢印Ｙ１）。かかる通知を受けた管理サーバ２００は、住宅Ａ１が「徘徊防止モード」となったことを記録する。なお、管理サーバ２００には、「徘徊防止モード」における通知対象となる住宅の状況である「玄関の開錠」と、通知するグループの範囲である「近隣グループ」と、が関連付けられて記憶されている。
【００３８】
そして、セキュリティシステム３０は、「徘徊防止モード」の動作として、玄関のドアの施錠開錠センサによる検出を開始する（図７のステップＳ１）。このように、「徘徊防止モード」では、お年寄りが一人で在宅中に外出することは問題が起こりうるため、玄関の開閉を検出するよう作動する。
【００３９】
その後、セキュリティシステム３０が検出中の施錠開錠センサから、ドアが住宅内部から開錠されたことを検出すると、このことを住宅の識別情報と共に、管理サーバ２００に通知する。かかる通知を受けた管理サーバ２００は、住宅Ａ１が「徘徊防止モード」であるときに、「ドアが開錠」となったことを検出し、かかる状況は通知対象であると判断する（図７のステップＳ２）。
【００４０】
管理サーバ２００は、住宅Ａ１が、「徘徊防止モード」で通知対象である住宅の状況となったと判断すると、かかる住宅の状況に対応して記憶されているグループの範囲を参照して、当該グループの範囲内の他の住宅のタブレット１０に、住宅の状況を通知する情報を送信する。このとき、通知するグループの範囲が「近隣グループ」に設定されているため、住宅の状況を検出した住宅Ａ１の近隣グループＧＡに属する他の住宅Ａ２（及び、住宅Ａ３，住宅Ａ４）のタブレット１０に、徘徊の恐れがあることを、表示情報や音情報で通知する（図６の矢印Ｙ２、図７のステップＳ３）。これを受けた他の住宅Ａ２等の住民は、近隣に位置する住宅Ａ１自体やその周囲の様子を見ることができ、お年寄りの徘徊を抑制することもできる。
【００４１】
また、別の例として、住宅Ａ１のユーザが外出して留守にする場合を説明する。ユーザは、タブレット１０を操作して、セキュリティモードを「外出モード」に設定する。すると、セキュリティシステム３０は、住宅Ａ１の識別情報と共に、住宅Ａ１が「外出モード」に設定されたことを、管理サーバ２００に通知する。かかる通知を受けた管理サーバ２００は、住宅Ａ１が「外出モード」となったことを記録する。なお、管理サーバ２００には、「外出モード」における通知対象となる住宅の状況である「侵入の検出」と、通知するグループの範囲である「広範囲グループ」と、が関連付けられて記憶されている。
【００４２】
そして、セキュリティシステム３０は、「外出モード」の動作として、玄関のドアの施錠開錠センサや侵入センサの検出を開始する。その後、セキュリティシステム３０が検出中の侵入センサから、窓が開いたことを検出すると、このことを住宅の識別情報と共に、管理サーバ２００に通知する。かかる通知を受けた管理サーバ２００は、住宅Ａ１が「外出モード」であるときに、「侵入の検出」という状況となったと判断し、かかる状況は通知対象であると判断する。
【００４３】
管理サーバ２００は、住宅Ａ１が、「外出モード」で通知対象である住宅の状況となったと判断すると、対応して記憶されている通知するグループの範囲を参照して、当該グループの範囲内の他の住宅のタブレット１０に、住宅の状況を通知する情報を送信する。このとき、通知するグループの範囲が「広範囲グループ」と設定されているため、住宅の状況を検出した住宅Ａ１が属する広範囲グループＧに属する他の住宅Ｂ１，Ｃ１等のタブレット１０に、同一地域内の住宅への侵入者がいることを、表示情報や音情報で通知する。これを受けた他の住宅Ｂ１，Ｃ１等の住民は、同一地域内の住宅Ａ１の様子を見に行ったり、あるいは、同一地域に侵入者がいることに備えて外出を控えるなど、適切に対応することができる。
【００４４】
以上のように、本発明によると、ある住宅の状況を他の住宅のインターホン装置に通知することで、住民が近隣の状況を迅速かつ正確に認識することができる。これにより、居住する地域内での住民間の連携を図ることができる。
【００４５】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００４６】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４７】
１０  タブレット
１１  タッチパネル
１２  表示制御部
１３  通信部
１４  操作制御部
１５  記憶部
２０  通信装置
３０  セキュリティシステム
３１  センサ
３２  制御部
３３  通知部
４０  カメラ
５０  家電
６０  ＨＥＭＳ
７０  ウェアラブル端末
１００  住宅
２００  管理サーバ
２０１  収集部
２０２  送信部
２０３  記憶部
３００  携帯端末
【図１】
2017158110.tif 000003
【図２】
2017158110.tif 000004
【図３】
2017158110.tif 000005
【図４】
2017158110.tif 000006
【図５】
2017158110.tif 000007
【図６】
2017158110.tif 000008
【図７】
2017158110.tif 000009